(57)【要約】      （修正有）【課題】冷却構造を有する火格子において、冷却性能を向上させる。【解決手段】火格子１は、第一方向に延びる上壁部２と、上壁部２の先端から下方に延びる前壁部３と、上壁部２の裏側に設けられた流路Ｓと、流路Ｓを上下に仕切る仕切壁８であって、主面が上壁部２を向く仕切壁本体９と、仕切壁本体９に形成されて上壁部２の裏面へ向けて冷却媒体を噴出して上壁部２をインピンジメント冷却する複数の冷却孔１０と、を有する仕切壁８と、を有する。【選択図】図５
0003219985.tif 000002
【実用新案登録請求の範囲】
【請求項１】
第一方向に延びる上壁部と、
前記上壁部の先端から下方に延びる前壁部と、
前記上壁部の裏側に設けられた流路と、
前記流路を上下に仕切る仕切壁であって、主面が前記上壁部を向く仕切壁本体と、前記仕切壁本体に形成されて前記上壁部の裏面へ向けて冷却媒体を噴出して前記上壁部をインピンジメント冷却する複数の冷却孔と、を有する仕切壁と、を有する火格子。
【請求項２】
前記仕切壁と前記上壁部との間の距離をＬ、
前記冷却孔の内径をＤｉとすると、
２＜Ｌ／Ｄｉ＜３５
である請求項１に記載の火格子。
【請求項３】
前記上壁部の前記第一方向の中央部よりも前記先端側に前記第一方向に延びるように形成され、前記仕切壁と前記上壁部との間の流路内の前記冷却媒体を排出するスリットを有し、前記スリットと前記冷却孔とは、前記上壁部の主面の法線方向から見て重ならないように形成されている請求項１または請求項２に記載の火格子。
【請求項４】
前記仕切壁本体は、前記上壁部と略平行をなす主部と、
前記主部の前記先端側に接続された先端部と、を有し、
前記先端部に形成された複数の前記冷却孔の少なくとも一部は、前記冷却孔から噴出された前記冷却媒体が前記前壁部に当たるように指向されている請求項１または請求項２に記載の火格子。
【請求項５】
前記仕切壁本体は、前記上壁部と略平行をなす主部と、
前記主部の前記先端側に接続された先端部と、を有し、
前記先端部に形成された複数の前記冷却孔の少なくとも一部は、前記冷却孔から噴出された前記冷却媒体が前記前壁部に当たるように指向されている請求項３に記載の火格子。
【請求項６】
前記上壁部の前記裏面に前記上壁部と一体に設けられ、前記上壁部から下方に突出するように形成された板状のフィンを有する請求項４に記載の火格子。
【請求項７】
前記上壁部の前記裏面に前記上壁部と一体に設けられ、前記上壁部から下方に突出するように形成された板状のフィンを有する請求項５に記載の火格子。
【請求項８】
前記冷却孔は円形をなし、前記冷却孔の内周面は上方に向かうにしたがって縮径する円錐形状をなす請求項４に記載の火格子。
【請求項９】
前記冷却孔は円形をなし、前記冷却孔の内周面は上方に向かうにしたがって縮径する円錐形状をなす請求項５に記載の火格子。
【請求項１０】
第一方向に延びる上壁部と、
前記上壁部の先端から下方に延びる前壁部と、
前記上壁部の側縁から下方に延びる一対の側壁部と、
前記上壁部及び一対の側壁部に囲まれた空間に配置され、前記先端側が閉塞されて前記第一方向に延びる筒状をなすダクト本体と、前記ダクト本体に形成されて前記上壁部の裏面、前記前壁部の裏面、及び前記一対の側壁部の裏面へ向けて冷却媒体を噴射してインピンジメント冷却する複数の冷却孔と、を有するダクトと、を有する火格子。
【考案の詳細な説明】
【技術分野】
【０００１】
本考案は、火格子に関する。
【背景技術】
【０００２】
ごみ等の被焼却物を焼却する焼却炉として、大量のごみを選別することなく効率的に焼却処理することができるストーカ炉が知られている。ストーカ炉は、ごみの搬送方向で交互に配置した固定火格子段と移動火格子段からなるストーカを有している。ストーカ炉は、固定火格子段と移動火格子段を往復運動させ、ごみを十分に撹拌して燃焼させている（例えば、特許文献１参照）。
【０００３】
ストーカ炉としては、ストーカの耐久性向上と長寿命化を図るために火格子を冷却する冷却構造を有するものもある。冷却構造としては、例えば、火格子内を数往復する冷却流路に冷却空気を導入し、火格子の上壁部を強制対流により冷却する構造がある。強制対流による冷却構造では、冷却空気を冷却対象である火格子の壁に沿って流し、壁近傍で発生する渦の拡散を介して熱を輸送している。
【先行技術文献】
【特許文献】
【０００４】
【特許文献１】特開平６−２６５１２５号公報
【考案の概要】
【考案が解決しようとする課題】
【０００５】
ストーカ炉では、例えば、低空気比運転などを行うことによって火格子の温度が更に上昇する可能性がある。強制対流による冷却構造の場合、例えば、冷却空気の流速を上げる事で冷却性能を向上させることが可能である。
しかし、例えば、冷却空気の流速を上げられないストーカ炉の場合は冷却性能が不十分となり，火格子温度が上昇してしまう恐れがある。
また、材料寿命の観点からも、更なる冷却性能の向上が望まれている。
【０００６】
この考案は、冷却構造を有する火格子において、冷却性能を向上させることができる火格子を提供することを目的とする。
【課題を解決するための手段】
【０００７】
本考案の第一の態様によれば、火格子は、第一方向に延びる上壁部と、前記上壁部の先端から下方に延びる前壁部と、前記上壁部の裏側に設けられた流路と、前記流路を上下に仕切る仕切壁であって、主面が前記上壁部を向く仕切壁本体と、前記仕切壁本体に形成されて前記上壁部の裏面へ向けて冷却媒体を噴出して前記上壁部をインピンジメント冷却する複数の冷却孔と、を有する仕切壁と、を有する。
【０００８】
このような構成によれば、冷却孔から噴出する冷却媒体が直接的に上壁部に衝突することによって、冷却性能を向上させることができる。
【０００９】
上記火格子において、前記仕切壁と前記上壁部との間の距離をＬ、前記冷却孔の内径をＤｉとすると、２＜Ｌ／Ｄｉ＜３５であってよい。
【００１０】
このような構成によれば、火格子を製作するときの寸法公差を大きくすることができ、製品コストの低減を図ることができる。
【００１１】
上記火格子において、前記上壁部の前記第一方向の中央部よりも前記先端側に前記第一方向に延びるように形成され、前記仕切壁と前記上壁部との間の流路内の前記冷却媒体を排出するスリットを有し、前記スリットと前記冷却孔とは、前記上壁部の主面の法線方向から見て重ならないように形成されてよい。
【００１２】
このような構成によれば、上壁部に空気排出孔として機能するスリットを形成することで、空気排出孔を大きくすることができるので、空気排出孔による圧力損失が低減され、冷却空気を供給するための送風ファンの動力を小さくすることができる。
また、スリットと冷却孔の位置をずらすことによって、冷却孔から噴出した冷却媒体が確実に上壁部に当たるため、衝突噴流の冷却性能を確実に得ることができる。
【００１３】
上記火格子において、前記仕切壁本体は、前記上壁部と略平行をなす主部と、前記主部の前記先端側に接続された先端部と、を有し、前記先端部に形成された複数の前記冷却孔の少なくとも一部は、前記冷却孔から噴出された前記冷却媒体が前記前壁部に当たるように指向されてよい。
【００１４】
このような構成によれば、冷却孔から噴出した冷却媒体が上壁部のみならず、前壁部（火格子の先端）にも当たるため、火格子の先端の冷却性能を向上させることができる。
【００１５】
上記火格子において、前記上壁部の前記裏面に前記上壁部と一体に設けられ、前記上壁部から下方に突出するように形成された板状のフィンを有してよい。
【００１６】
このような構成によれば、上壁部にフィンが形成されていることにより、放熱効果が得られるため、火格子の冷却性能が向上する。
【００１７】
上記火格子において、前記冷却孔は円形をなし、前記冷却孔の内周面は上方に向かうにしたがって縮径する円錐形状をなしてよい。
【００１８】
このような構成によれば、冷却孔の入り口側の内径を大きくすることによって、冷却孔による圧力損失を低減することができる。また、冷却孔の出口側の内径を小さくすることによって、冷却媒体の流速を上げて冷却性能を向上させることができる。
【００１９】
本考案の第二の態様によれば、火格子は、第一方向に延びる上壁部と、前記上壁部の先端から下方に延びる前壁部と、前記上壁部の側縁から下方に延びる一対の側壁部と、前記上壁部及び一対の側壁部に囲まれた空間に配置され、前記先端側が閉塞されて前記第一方向に延びる筒状をなすダクト本体と、前記ダクト本体に形成されて前記上壁部の裏面、前記前壁部の裏面、及び前記一対の側壁部の裏面へ向けて冷却媒体を噴射してインピンジメント冷却する複数の冷却孔と、を有するダクトと、を有してよい。
【００２０】
このような構成によれば、ダクトから噴出された冷却媒体が排出されるときに、側壁部とダクトとの隙間が第一方向に長い冷却媒体排出孔として機能することによって、冷却媒体の流量を増加させても冷却媒体排出孔に向かう冷却媒体の流れによって衝突噴流の冷却効果が妨害されにくく、衝突噴流の効果を最大限に得ることができる。
また、火格子の構造を簡素化できる。また、火格子の構造が簡素化することで、メンテナンスが容易となる。
【考案の効果】
【００２１】
本考案によれば、冷却孔から噴出する冷却媒体が直接的に上壁部に衝突することによって、冷却性能を向上させることができる。
【図面の簡単な説明】
【００２２】
【図１】本考案の第一実施形態のストーカ炉の概略構成図である。
【図２】本考案の第一実施形態の火格子の上方から見た斜視図である。
【図３】本考案の第一実施形態の火格子の下方から見た斜視図である。
【図４】本考案の第一実施形態の火格子の下方から見た平面図である。
【図５】図４のＶ−Ｖ断面図であって、本考案の第一実施形態の火格子の断面図である。
【図６】本考案の第一実施形態の火格子の作用を説明する図である。
【図７】本考案の第二実施形態の火格子の上方から見た斜視図である。
【図８】図７のＶＩＩＩ−ＶＩＩＩ断面図であって、本考案の第二実施形態の火格子の断面図である。
【図９】本考案の第三実施形態の火格子の断面図である。
【図１０】本考案の第四実施形態の火格子の断面図である。
【図１１】本考案の第五実施形態の火格子の断面図である。
【図１２】本考案の第六実施形態の火格子の冷却孔及び空気排出孔の断面図である。
【図１３】本考案の第七実施形態の火格子の斜視図である。
【図１４】図１３のＸＩＶ−ＸＩＶ断面図であって、本考案の第七実施形態の火格子の断面図である。
【図１５】図１４のＸＶ−ＸＶ断面図であって、本考案の第七実施形態の火格子の断面図である。
【考案を実施するための形態】
【００２３】
〔第一実施形態〕
以下、本考案の第一実施形態の火格子について図面を参照して詳細に説明する。
本考案の火格子は、ごみ等の被焼却物燃焼用ストーカ炉に用いられるものである。図１に示すように、ストーカ炉５０は、被焼却物Ｂを一時的に貯留するホッパ５１と、被焼却物Ｂを燃焼させる焼却炉５２と、焼却炉５２に被焼却物Ｂを供給するフィーダ５３と、焼却炉５２の底部側に設けられたストーカ５４（乾燥段６１、燃焼段６２、及び後燃焼段６３の火格子１を含む）と、ストーカ５４の下方に設けられた風箱５５と、を備えている。
【００２４】
フィーダ５３は、ホッパ５１を介して連続的にフィードテーブル５６上に供給された被焼却物Ｂを焼却炉５２内に押し出す。フィーダ５３は、フィーダ駆動装置５７によってフィードテーブル５６上を所定のストロークで往復運動する。
風箱５５は、送風機（図示せず）から供給される一次空気をストーカ５４の各部に供給する。
焼却炉５２は、ストーカ５４の上方に設けられ、一次燃焼室と二次燃焼室からなる燃焼室５８を有している。焼却炉５２は、燃焼室５８に二次空気を供給する二次空気供給ノズル５９を有している。
【００２５】
ストーカ５４は、火格子１を階段状に並べた燃焼装置である。被焼却物Ｂは、ストーカ５４上で燃焼する。
以下、被焼却物Ｂが搬送される方向を搬送方向ＴＤと呼ぶ。被焼却物Ｂは、ストーカ５４上を搬送方向ＴＤに搬送される。図１において、右側が搬送方向下流側ＴＤ１である。
【００２６】
ストーカ５４は、被焼却物Ｂの搬送方向上流側から順に、被焼却物Ｂを乾燥させる乾燥段６１と、被焼却物Ｂを焼却する燃焼段６２と、未燃分を完全に焼却（後燃焼）する後燃焼段６３と、を有している。ストーカ５４では、乾燥段６１、燃焼段６２、及び後燃焼段６３で、被焼却物Ｂを順次搬送しつつ、それぞれ乾燥、燃焼、及び後燃焼を行う。
【００２７】
各々の段６１、６２、６３は、複数の固定火格子１ａを有する固定火格子段と、複数の移動火格子１ｂを有する移動火格子段と、を有している。固定火格子段は、複数の固定火格子１ａがストーカ５４の幅方向（図１の奥行き方向）に配列されることで構成されている。移動火格子段は、複数の移動火格子１ｂがストーカ５４の幅方向に配列されることで構成されている。
【００２８】
固定火格子１ａ（固定火格子段）と移動火格子１ｂ（移動火格子段）とは、搬送方向ＴＤで交互に配置されている。移動火格子１ｂは、被焼却物Ｂの搬送方向ＴＤに往復運動する。移動火格子１ｂの往復運動によってストーカ５４上の被焼却物Ｂが搬送されるとともに攪拌される。即ち、被焼却物Ｂの下層部が動かされ、被焼却物Ｂの上層部と入れ替えられる。
【００２９】
乾燥段６１は、フィーダ５３によって押し出されて焼却炉５２内に落下した被焼却物Ｂを受け、被焼却物Ｂの水分を蒸発させるとともに一部熱分解する。燃焼段６２は、下方の風箱５５から供給される一次空気によって、乾燥段６１で乾燥した被焼却物Ｂに着火させ、揮発分および固定炭素分を燃焼させる。後燃焼段６３は、燃焼段６２で燃焼されずに通過してきた固定炭素分等の未燃分を完全に灰になるまで燃焼させる。
灰は、後燃焼段６３の出口に設けられている排出シュート６４を通じて焼却炉５２から排出される。
各々の段６１、６２、６３は、移動火格子１ｂを駆動する駆動機構６５を有している。
【００３０】
ストーカ炉５０は、乾燥段６１、燃焼段６２、及び後燃焼段６３における移動火格子１ｂの駆動の速度を、互いに同じ速度または乾燥段６１、燃焼段６２、及び後燃焼段６３の少なくとも一部で異なる速度とすることができる。
【００３１】
次に、本実施形態の固定火格子１ａと移動火格子１ｂの形状について説明する。固定火格子１ａと移動火格子１ｂの形状は同じであるので、以下、火格子１として説明する。ただし、固定火格子１ａと移動火格子１ｂの一部を突起付火格子としてもよい。突起付火格子は、火格子１の先端に上方に突出する突起を有しているが、それ以外の構造は、以下に説明する火格子１と同じである。
【００３２】
本実施形態の火格子１は、冷却構造を有している。火格子１は、風箱５５から供給される一次空気を冷却空気（冷却媒体）として冷却される。
図２、図３、図４、及び図５に示すように、火格子１は、第一方向Ｄ（ごみの搬送方向ＴＤ）に延びる上壁部２と、上壁部２の先端（搬送方向下流側ＴＤ１の端部）から下方に延びる前壁部３と、上壁部２の側縁２ａから下方に延びる一対の側壁部４と、後壁部５と、を有している。上壁部２の上面は、ごみが載置される面である。
【００３３】
上壁部２と、前壁部３と、一対の側壁部４と、後壁部５とは、一体に形成されている。上壁部２の後端には凹部６が形成されている。
火格子１の凹部６は、各々の段６１、６２、６３の据付面６１ａ、６２ａ、６３ａ（図１参照）に設けられた凸部（図示せず）に嵌め込まれる。これにより、火格子１が各々の段６１、６２、６３に取り付けられる。
【００３４】
上壁部２は、矩形状をなし、幅方向Ｗ（第一方向Ｄと直交する方向）に隣り合う火格子１とともにストーカ５４の上面をなす。
前壁部３は、上壁部２の主面と前壁部３の主面とが直角に近い角度で交差するように、上壁部２から下方に突出するように形成されている。前壁部３の厚さは、上壁部２及び側壁部４の厚さよりも厚い。
【００３５】
側壁部４は、上壁部２の主面と側壁部４の主面とが略直角で交差するように形成されている。側壁部４は、火格子１の先端に向かうにしたがって幅が広くなるように形成されている。
後壁部５は、上壁部２から下方に突出する板状をなし、後壁部５の主面が第一方向Ｄを向くように形成されている。後壁部５は、火格子１の後方（前壁部３と凹部６との間であって凹部６側）に配置されている。
上壁部２の下方（上壁部２の裏側）には流路Ｓが形成される。
【００３６】
火格子１は、上壁部２、前壁部３、一対の側壁部４、及び流路Ｓを上下に仕切る仕切壁８と、を有している。仕切壁８は、板状をなし、上壁部２と平行となるように取り付けられている。
【００３７】
仕切壁８は、主面が上壁部２を向き、流路Ｓを上壁部２と仕切壁８との間の上側流路Ｓ１と、仕切壁８の下方の下側流路Ｓ２とに仕切る仕切壁本体９と、仕切壁本体９に形成された複数の冷却孔１０と、を有している。
複数の冷却孔１０は、仕切壁本体９に一様に配置されている。複数の冷却孔１０は、例えば、格子状に配置することができる。複数の冷却孔１０の数や大きさは、冷却孔１０の圧力損失によって火格子１が浮き上がらないよう、圧力損失が５００ｍｍＡｑ（４．９０ｋＰａ）以下となるように設定されている。
【００３８】
側壁部４には、上側流路Ｓ１から冷却空気を排出する空気排出孔１２が形成されている。空気排出孔１２は、第一方向Ｄの先端側に配置されている。
【００３９】
図６に示すように、仕切壁８は、冷却孔１０の内径をＤｉ、仕切壁８の上面と上壁部２の下面との距離をＬとすると、内径Ｄｉと距離Ｌとの比Ｌ／Ｄｉが、
２＜Ｌ／Ｄｉ＜３５
となるように配置されている。
【００４０】
次に、本実施形態の火格子１の作用について説明する。
図６に示すように、風箱５５（図１参照）から供給される一次空気（冷却空気）が下側流路Ｓ２に導入されると、冷却空気Ｃは、仕切壁８の複数の冷却孔１０を通過し、上壁部２の裏面に向かって噴出する。冷却空気Ｃは、上壁部２に衝突するように流れ、その後、空気排出孔１２から排出される。これにより、上壁部２がインピンジメント冷却される。
【００４１】
上記実施形態によれば、冷却孔１０から噴出する冷却空気Ｃが直接的に上壁部２に衝突して冷却空気Ｃが直接的に熱を輸送することによって、熱伝達率が大きくなり、冷却性能を向上させることができる。即ち、冷却空気Ｃが上壁部２に衝突することで、火格子１の冷却性能を向上させることができる。
また、内径Ｄｉと距離Ｌとの比Ｌ／Ｄｉを、２＜Ｌ／Ｄｉ＜３５とすることによって、火格子１を製作するときの寸法公差を大きくすることができ、製品コストの低減を図ることができる。
【００４２】
なお、上記実施形態では、冷却孔１０の形状を円形としたが、これに限ることはない。例えば、冷却孔１０の形状を楕円としたり、多角形としたりしてもよい。
また、上記実施形態では、冷却に用いられる冷却媒体を一次空気としたが、これに限らず、例えば、蒸気を火格子１に供給することで冷却を行ってもよい。
また、上記実施形態では、空気排出孔１２を四角形としたが、これに限ることはない。例えば、空気排出孔１２を円形や楕円としてもよい。
【００４３】
〔第二実施形態〕
以下、本考案の第二実施形態の火格子について図面を参照して詳細に説明する。なお、本実施形態では、上述した第一実施形態との相違点を中心に述べ、同様の部分についてはその説明を省略する。
図７に示すように、本実施形態の火格子１の空気排出孔１２Ｂは、上壁部２に複数形成されている。複数の空気排出孔１２Ｂは、第一方向Ｄに延びるスリット状（長孔）をなし、上壁部２の第一方向Ｄの中央部よりも先端側に形成されている。空気排出孔１２Ｂは、幅方向Ｗに等間隔に形成されている。
【００４４】
各々の空気排出孔１２Ｂの面積は、空気排出孔１２Ｂから排出される冷却空気の流速が、ごみ粒子の終末速度以上となるように設定されている。
図８に示すように、空気排出孔１２Ｂの数、及び幅方向Ｗの位置は、冷却孔１０に対応している。上壁部２の主面の法線方向（上壁部２の上方）から見て、空気排出孔１２と冷却孔１０とは重なっている。
ただし、空気排出孔１２Ｂの数、及び幅方向Ｗの位置は、冷却孔１０に対応しなくてもよい。即ち、上壁部２の主面の法線方向から見て、空気排出孔１２と冷却孔１０とは重ならなくてもよい。
【００４５】
上記実施形態によれば、火格子１Ｂの上壁部２にスリット状の空気排出孔１２Ｂを設けることによって、空気排出孔１２Ｂの大きさや、形状に対する自由度を向上させることができる。
また、冷却孔１０から噴出する冷却空気の流速を大きくすると冷却性能は向上するが、背反事象として仕切壁８（多孔板）による圧力損失が大きくなる。圧力損失が大きくなると、火格子１の浮き上がりが問題となるため、冷却空気の流速の上限は、仕切壁８と空気排出孔１２による火格子全体の圧力損失で決まる。上記実施形態の火格子１Ｂのように、上壁部２に空気排出孔１２Ｂを複数形成することや、空気排出孔１２Ｂを大きくすることで、空気排出孔１２Ｂによる圧力損失が低減され、冷却空気を供給するための送風ファンの動力を小さくすることができる。
【００４６】
〔第三実施形態〕
以下、本考案の第三実施形態の火格子について図面を参照して詳細に説明する。なお、本実施形態では、上述した第二実施形態との相違点を中心に述べ、同様の部分についてはその説明を省略する。
図９に示すように、本実施形態の火格子１Ｃでは、上壁部２の主面の法線方向から見て、空気排出孔１２Ｂと冷却孔１０とは重なっていない。具体的には、空気排出孔１２Ｂは幅方向Ｗに４本形成されており、冷却孔１０は、上壁部２の主面の法線方向から見て、幅方向Ｗに隣り合う空気排出孔１２Ｂの間に形成されている。即ち、冷却孔１０から噴出した空気は、上壁部２に当たった後、空気排出孔１２Ｂから排出される。
【００４７】
上記実施形態によれば、空気排出孔１２Ｂと冷却孔１０の位置をずらすことによって、冷却孔１０から噴出した冷却空気が確実に上壁部２に当たるため、スリット状の空気排出孔１２Ｂが形成されている箇所においても衝突噴流の冷却性能を確実に得ることができる。
【００４８】
〔第四実施形態〕
以下、本考案の第四実施形態の火格子について図面を参照して詳細に説明する。なお、本実施形態では、上述した第二実施形態との相違点を中心に述べ、同様の部分についてはその説明を省略する。
図１０に示すように、本実施形態の仕切壁８の仕切壁本体９Ｄは、上壁部２と略平行をなす主部１４と、主部１４の先端側に接続された先端部１５と、を有している。先端部１５は、先端部１５の主面が前壁部３と略平行となるように形成されている。主部１４と先端部１５とは、滑らかに接続されている。先端部１５に形成された複数の冷却孔１０の少なくとも一部は、冷却孔１０から噴出された冷却空気Ｃが前壁部３に当たるように指向されている。
【００４９】
上記実施形態によれば、冷却孔１０から噴出した冷却空気Ｃが上壁部２のみならず、前壁部３（火格子１Ｄの先端）にも当たるため、火格子１Ｄの先端の冷却性能が向上させることができる。
【００５０】
なお、上記実施形態では、先端部１５が前壁部３と略平行となるように形成したが、冷却孔１０から噴出された冷却空気Ｃが前壁部３に当たるよう形成されていれば、これに限ることはない。例えば、主部１４と先端部１５とのなす角を鈍角としたり、先端部１５を、曲率を持った板としたりしてもよい。
【００５１】
〔第五実施形態〕
以下、本考案の第五実施形態の火格子について図面を参照して詳細に説明する。なお、本実施形態では、上述した第二実施形態との相違点を中心に述べ、同様の部分についてはその説明を省略する。
図１１に示すように、本実施形態の火格子１Ｅは、上壁部２に形成されたフィン１６を有している。フィン１６は、板状をなし、上壁部２の裏面２ｂに上壁部２と一体に設けられ、上壁部２から下方に突出するように形成されている。
フィン１６は、フィン１６の主面が第一方向Ｄに沿うとともに、幅方向Ｗを向くように形成されている。
【００５２】
上記実施形態によれば、上壁部２にフィン１６が形成されていることにより、放熱効果が得られるため、火格子１Ｅの冷却性能が向上する。
【００５３】
〔第六実施形態〕
以下、本考案の第六実施形態の火格子について図面を参照して詳細に説明する。なお、本実施形態では、上述した第二実施形態との相違点を中心に述べ、同様の部分についてはその説明を省略する。
図１２に示すように、本実施形態の火格子１Ｆの冷却孔１０Ｆは円形をなし、冷却孔１０Ｆの内周面１０ａは上方（上壁部２の側）に向かうにしたがって縮径する円錐形状をなしている。冷却孔１０Ｆは、下端の内径をＤｉ１、上端の内径をＤｉ２とすると、Ｄｉ１＞Ｄｉ２となるように形成されている。
【００５４】
上記実施形態によれば、冷却孔１０Ｆの入り口側の内径Ｄｉ１を大きくすることによって、冷却孔１０Ｆによる圧力損失を低減することができる。また、冷却孔１０Ｆの出口側の内径Ｄｉ２を小さくすることによって、冷却空気の流速を上げて冷却性能を向上させることができる。
【００５５】
〔第七実施形態〕
以下、本考案の第七実施形態の火格子について図面を参照して詳細に説明する。なお、本実施形態では、上述した第一実施形態との相違点を中心に述べ、同様の部分についてはその説明を省略する。
図１３、図１４、及び図１５に示すように、本実施形態の火格子１Ｇは、上壁部２と、前壁部３と、一対の側壁部４と、後壁部５と、後壁部５に固定されて第一方向Ｄに延びるダクト１８と、を有している。
【００５６】
ダクト１８は、上壁部２及び一対の側壁部４に囲まれた空間に配置されている。ダクト１８は、第一方向Ｄに延びる四角筒状をなすダクト本体１９と、ダクト本体１９に形成されて上壁部２の裏面、前壁部３の裏面、及び一対の側壁部４の裏面へ向けて冷却空気Ｃを噴射してインピンジメント冷却する複数の冷却孔１０と、ダクト本体１９の後端に形成されている空気導入孔１１と、を有している。
【００５７】
ダクト本体１９は、上壁部２と平行をなす第一面２１と、側壁部４と平行をなす一対の第二面２２と、第一面２１と平行をなし、第一面２１及び一対の第二面２２とともに四角筒を形成する第三面２３と、ダクト本体１９の先端を閉塞する第四面２４と、を有している。
冷却孔１０は、第一面２１及び一対の第二面２２に規則的に形成されている。第二面２２に形成されている冷却孔１０の軸線Ａは、第二面２２と直交しておらず傾斜している。第二面２２に形成されている冷却孔１０は、冷却孔１０から噴出された冷却空気Ｃが、上方に噴出するように、外側が高くなるように傾斜している。
【００５８】
図１４及び図１５に示すように、ダクト１８の冷却孔１０から噴出された冷却空気は、上壁部２、側壁部４、及び前壁部３に当たって、これらを冷却した後、火格子１の底側であって、側壁部４とダクト１８との間の隙間Ｇから排出される。
【００５９】
例えば、第二実施形態の火格子１Ｂ（図７、及び図８参照）では、上側流路Ｓ１を流れる冷却空気の流量が増加すると、上壁部２に沿って空気排出孔１２Ｂから排出される冷却空気の流れ（クロスフロー）によって、空気排出孔１２Ｂ近くの衝突噴流が冷却に寄与しにくくなる。即ち、冷却孔１０から壁の内面に当たる衝突噴流のエネルギーが、空気排出孔１２に向かって壁に沿って流れる冷却空気によって弱められる。
一方、本実施形態の火格子１Ｇによれば、側壁部４とダクト１８との間の隙間Ｇが第一方向Ｄに長い空気排出孔として機能することによって、クロスフローがなくなるため、衝突噴流の効果を最大限に得ることができる。
【００６０】
また、仕切壁８を火格子１Ｇの本体側に溶接する必要がないため、火格子１Ｇの構造を簡素化できる。また、火格子１Ｇの構造が簡素化することで、メンテナンスが容易となる。
【００６１】
なお、上記実施形態では、ダクト本体１９の形状を四角筒状としたが、筒状であれば、これに限ることはない。例えば、ダクト本体１９の形状を、円筒状としてもよい。
【００６２】
以上、本考案の実施の形態について図面を参照して詳述したが、具体的な構成はこの実施の形態に限られるものではなく、本考案の要旨を逸脱しない範囲の設計変更等も含まれる。
【符号の説明】
【００６３】
１、１Ｂ、１Ｃ、１Ｄ、１Ｅ、１Ｆ、１Ｇ  火格子
１ａ  固定火格子
１ｂ  移動火格子
２  上壁部
３  前壁部
４  側壁部
５  後壁部
６  凹部
８  仕切壁
９、９Ｄ  仕切壁本体
１０  冷却孔
１１  空気導入孔
１２、１２Ｂ  空気排出孔
１４  主部
１５  先端部
１６  フィン
１８  ダクト
１９  ダクト本体
２１  第一面
２２  第二面
２３  第三面
２４  第四面
５０  ストーカ炉
５１  ホッパ
５２  焼却炉
５３  フィーダ
５４  ストーカ
５５  風箱
５６  フィードテーブル
５７  フィーダ駆動装置
５８  燃焼室
５９  二次空気供給ノズル
６１  乾燥段
６２  燃焼段
６３  後燃焼段
６４  排出シュート
６５  駆動機構
Ｂ  被焼却物
Ｃ  冷却空気
Ｄ  第一方向
Ｓ  流路
Ｓ１  上側流路
Ｓ２  下側流路
ＴＤ  搬送方向
ＴＤ１  搬送方向下流側
Ｗ  幅方向
【図１】
0003219985.tif 000003
【図２】
0003219985.tif 000004
【図３】
0003219985.tif 000005
【図４】
0003219985.tif 000006
【図５】
0003219985.tif 000007
【図６】
0003219985.tif 000008
【図７】
0003219985.tif 000009
【図８】
0003219985.tif 000010
【図９】
0003219985.tif 000011
【図１０】
0003219985.tif 000012
【図１１】
0003219985.tif 000013
【図１２】
0003219985.tif 000014
【図１３】
0003219985.tif 000015
【図１４】
0003219985.tif 000016
【図１５】
0003219985.tif 000017